(57)【特許請求の範囲】
【請求項１】
ＬＥＤモジュールを収納可能な容器形であって、開口縁に沿って環状パッキンを装着したＬＥＤ灯具筐体容器型本体の、該開口縁周回りに均衡状となる周壁複数箇所の何れか一箇所に固定可能とした取付け座から、取付け姿勢にて該容器型本体開口縁を超えて外がわに向け、封鎖ネジ用孔、対手ストッパ規制部および／またはストッパ凸片を有する連結腕を延伸してなる受け金具、鍔状外周縁が当該容器型本体開口縁に対応し、環状パッキンに当接・密閉可能形状としたＬＥＤ灯具筐体蓋型透明カバーの、当該容器型本体開口縁に組み合わせた場合に、当該受け金具取付け座各取付け位置に対応する開口縁近傍外周壁の何れか一箇所に固定可能とした取付け座から、取付け姿勢にて鍔状外周縁を超えて外がわに向け、ボルト装着孔、ストッパ凸片および／または対手ストッパ規制部を有する連結腕を延伸してなる掛け金具、および、該掛け金具ボルト装着孔と該受け金具封鎖ネジ用孔とを緊締・連結可能とする封鎖ネジを設けてなるものとしたことを特徴とするＬＥＤ灯具筐体用閉鎖金具。
【請求項２】
ＬＥＤモジュールを収納可能な容器形であって、開口縁に沿って環状パッキンを装着したＬＥＤ灯具筐体容器型本体の、該開口縁周回りに均衡状となる周壁複数箇所の何れか一箇所に固定可能とした取付け座から、取付け姿勢にて該容器型本体開口縁を超えて外がわに向け、封鎖ネジ用孔、対手ストッパ規制部および／またはストッパ凸片を有する連結腕を延伸してなる受け金具、鍔状外周縁が当該容器型本体開口縁に対応し、環状パッキンに当接・密閉可能形状としたＬＥＤ灯具筐体蓋型透明カバーの、当該容器型本体開口縁に組み合わせた場合に、当該受け金具取付け座各取付け位置に対応する開口縁近傍外周壁の何れか一箇所に固定可能とした取付け座から、取付け姿勢にて鍔状外周縁を超えて外がわに向け、ボルト装着孔、ストッパ凸片および／または対手ストッパ規制部を有する連結腕を延伸してなる掛け金具、および、該掛け金具ボルト装着孔と該受け金具封鎖ネジ用孔とを緊締・連結可能とする封鎖ネジを設け、該受け金具対手ストッパ規制部が該掛け金具ストッパ凸片の閉鎖位置を規制可能とし、および／または、該掛け金具対手ストッパ規制部が該受け金具ストッパ凸片の閉鎖位置を規制可能として、環状パッキンに加わる閉鎖圧力を最適且つ一定に規制可能としてなるものとしたことを特徴とするＬＥＤ灯具筐体用閉鎖金具。
【請求項３】
ＬＥＤモジュールを収納・装着可能とした容器形であって、照明がわ開口縁に沿って設けたパッキン装着座に環状パッキンを装着し、該パッキン装着座近傍周側壁の開口縁周回りに均衡状配置となる複数箇所に、夫々２以上の取付け孔を穿設して複数の受け金具取付け部を設定したＬＥＤ灯具筐体容器型本体の、外周壁各受け金具取付け部の何れか一箇所に固定可能とするよう、各取付け孔に装着可能な２以上の植込みボルトを立設した取付け座から、容器型本体開口縁を超えて外がわに向け、２以上の雌ネジ孔、対手ストッパ規制部およびストッパ凸片を有する連結腕を延伸してなる受け金具を設けると共に、鍔状外周縁が容器型本体開口縁に対応し、環状パッキンに当接・密閉可能形状とし、容器型本体開口縁に組み合わせた場合に各受け金具取付け部に対応する開口縁近傍箇所に、夫々２以上の取付け孔を穿設して掛け金具取付け部を設定したＬＥＤ灯具筐体蓋型透明カバーの、外周壁各掛け金具取付け部の何れか一箇所に固定可能とするよう、各取付け孔に装着可能な２以上の植込みボルトを立設した取付け座から、鍔状外周縁を超えて外がわに向け、２以上のボルト装着孔、ストッパ凸片および対手ストッパ規制部を有する連結腕を延伸してなる掛け金具を設け、当該容器型本体の何れか一箇所の受け金具取付け部と該受け金具取付け座との間にシートパッキンを挟み、各植込みボルトを各取付け孔に装着し、ナットにて固定し、当該蓋型透明カバーの何れか一箇所の掛け金具取付け部と該掛け金具取付け座との間にシートパッキンを挟み、各植込みボルトを各取付け孔に装着し、ナットにて固定し、該掛け金具各ボルト装着孔に装着した各封鎖ネジを、それに対応させた該受け金具各雌ネジ孔に螺合し得るものとしたことをと特徴とするＬＥＤ灯具筐体用閉鎖金具。
【請求項４】
受け金具の対手ストッパ規制部、ストッパ凸片、および、掛け金具のストッパ凸片、対手ストッパ規制部の各連結腕から夫々の当接位置までの各長さ寸法を、同受け金具対手ストッパ規制部および掛け金具ストッパ凸片が当接し、および／または、同受け金具ストッパ凸片および掛け金具対手ストッパ規制部が当接した場合に、容器型本体パッキン装着座と蓋型透明カバー鍔状外周縁との間に介在する環状パッキンが、最適且つ一定の圧縮状体となる寸法関係とするよう設定してなるものとした、請求項１ないし３何れか一項記載のＬＥＤ灯具筐体用閉鎖金具。
【請求項５】
受け金具が、その連結腕を取付け姿勢にて容器型本体開口縁に平行状外向きに延伸し、その外がわ最先端を、蓋型透明カバー掛け金具がわに向けて折曲し、ストッパ凸片を立設すると共に、該ストッパ凸片から順次容器型本体寄りとなるよう対手ストッパ規制部および封鎖ネジ用封鎖ネジ用孔または雌ネジ孔を配する一方、掛け金具が、取付け姿勢にてその連結腕の蓋型透明カバー外がわ且つ受け金具封鎖ネジ用孔または雌ネジ孔に対応する中途適所に、封鎖ネジ用ボルト装着孔を穿設し、同連結腕外端がわの受け金具ストッパ凸片先端に対応する中途部に段差状対手ストッパ規制部を設けた上、該段差状対手ストッパ規制部よりも先端に、受け金具対手ストッパ規制部に対応するストッパ凸片を設け、同掛け金具ストッパ凸片の外がわ壁面が、受け金具ストッパ凸片の容器型本体対峙壁面に隣接するよう組合せ可能なものとしてなる、請求項１ないし４何れか一項記載のＬＥＤ灯具筐体用閉鎖金具。
【請求項６】
受け金具および各掛け金具は、共に金属板をプレス加工してなり、受け金具は、取付け座またはその植込みボルト近傍から封鎖ネジ用孔または雌ネジ孔近傍に掛けて連続する１本または複数本の補強用凸条を一体成型し、掛け金具は、取付け座またはその植込みボルト近傍から対手ストッパ規制部近傍に掛けて連続する１本または複数本の補強用凸条を一体成型してなるものとした、請求項１ないし５何れか一項記載のＬＥＤ灯具筐体用閉鎖金具。
【請求項７】
ＬＥＤモジュールを収納可能な容器形であって、開口縁に沿って環状パッキンを装着した容器型本体と、鍔状外周縁が当該容器型本体開口縁に対応し、環状パッキンに当接・密閉可能形状とした蓋型透明カバーとからなり、該容器型本体開口縁周回りに均衡状となる周壁複数箇所の何れか一箇所に固定可能とした取付け座から、取付け姿勢にて該容器型本体開口縁を超えて外がわに向け、封鎖ネジ用孔、対手ストッパ規制部および／またはストッパ凸片を有する連結腕を延伸してなる受け金具を、該容器型本体外周壁の開口縁周回りに均衡状となる複数箇所夫々に固定すると共に、当該容器型本体開口縁に組み合わせた場合に、当該受け金具取付け座各取付け位置に対応する開口縁近傍外周壁の何れか一箇所に固定可能とした取付け座から、取付け姿勢にて鍔状外周縁を超えて外がわに向け、ボルト装着孔、ストッパ凸片および／または対手ストッパ規制部を有する連結腕を延伸してなる掛け金具を、該蓋型透明カバーの受け金具取付け座各取付け位置に対応する鍔状外周縁複数箇所夫々に固定した上、各掛け金具ボルト装着孔と、それらに対応する各受け金具封鎖ネジ用孔との間に夫々封鎖ネジを緊締・固定可能に組み合わせてなるものとした、請求項１ないし６何れか一項記載の閉鎖金具を利用したＬＥＤ灯具筐体。
【請求項８】
ＬＥＤモジュールを収納・装着可能とした容器形であって、照明がわ開口縁に沿って設けたパッキン装着座に環状パッキンを装着し、該パッキン装着座近傍周側壁の開口縁周回りに均衡状配置となる複数箇所に、夫々２以上の取付け孔を穿設して複数の受け金具取付け部を設定した容器型本体と、鍔状外周縁が容器型本体開口縁に対応し、環状パッキンに当接・密閉可能形状とし、容器型本体開口縁に組み合わせた場合に各受け金具取付け部に対応する開口縁近傍箇所に、夫々２以上の取付け孔を穿設して掛け金具取付け部を設定した蓋型透明カバーとからなり、当該容器型本体外周壁の各受け金具取付け部には、夫々取付け孔に装着可能な２本以上の植込みボルトを立設した取付け座から、容器型本体開口縁を超えて外がわに向け、封鎖ネジ用孔または２以上の雌ネジ孔、対手ストッパ規制部およびストッパ凸片を有する連結腕を延伸してなる受け金具を、シートパッキンを挟み、各受け金具取付け部取付け孔に各植込みボルトを装着し、２以上のナットにて固定する一方、当該蓋型透明カバーの各掛け金具取付け部には、夫々取付け孔に装着可能な２本以上の植込みボルトを立設した取付け座から、鍔状外周縁を超えて外がわに向け、２以上のボルト装着孔、ストッパ凸片および対手ストッパ規制部を有する連結腕を延伸してなる掛け金具を、シートパッキンを挟み、各掛け金具取付け部取付け孔に各植込みボルトを装着し、２以上のナットにて固定した上、当該容器型本体に蓋型透明カバーを閉鎖状に組合せると共に、各掛け金具ボルト装着孔から装着した２以上の封鎖ネジを、各受け金具雌ネジ孔に螺合し、双方のストッパ凸片が対手ストッパ規制部に当接するまで締め付け、密閉状に閉鎖可能なものとしてなる、請求項１ないし６何れか一項記載の閉鎖金具を利用したＬＥＤ灯具筐体。                                                                                                          
【発明の詳細な説明】
【技術分野】
【０００１】
この発明は、ＬＥＤ（発光ダイオード）を利用した照明技術に関連するものであり、特に、ＬＥＤモジュールを防水・防塵可能に収容可能とする灯具を製造、提供する分野は勿論のこと、その輸送、保管、組立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                
【背景技術】
【０００２】
（着目点）
道路やトンネルなどに設置する従来型の大型照明用灯具は、高圧ナトリウムランプや蛍光灯水銀ランプなどの蛍光管を使用しており、蛍光管が寿命を迎えた場合には、一時的に車線を閉鎖した上、高所作業車を用いた蛍光管だけの交換のために、灯具筐体には、透明カバーを開閉するためのヒンジ、および、閉鎖状態にロック可能なラッチを有するものとしてあったが、近年は、従来の蛍光管よりも寿命の長いＬＥＤランプを設置することが増加し、こうしたＬＥＤ灯具は、ＬＥＤモジュールが寿命を迎えた場合にも、設置場所にてＬＥＤモジュールを交換することはなく、灯具筐体を交換・設置し、工場に持ち帰った灯具筐体の透明カバーを開いてＬＥＤモジュールを交換し、メンテナンスするものとなっている。
【０００３】
このようなメンテナンス作業の変化に伴い、ＬＥＤ照明の灯具筐体には、透明カバー開閉用のヒンジやラッチなどが不要となり、工場作業にて効率的に開閉可能な上、筐体本体と透明カバーとの間に介在させる環状パッキンを潰し過ぎることなく、適度に圧縮するよう閉鎖して環状パッキンの寿命を永く保つことができる閉鎖機構を設けた、新たな灯具用筐体部品の開発が必要となった。
【０００４】
（従来の技術）
こうした状況を反映し、その打開策となるような提案もこれまでに散見されない訳ではない。
例えば、下記の特許文献１（１）ないし１（３）に提案されているものに代表されるように、灯具筐体の本体に設けた雌ネジ部またはネジ孔に対して、透明カバーを封鎖ネジによってネジ止めしておき、筐体本体の周縁に沿って配し、透明カバー周縁との間に介在させた環状パッキンの圧縮状態の方は、各封鎖ネジの締付けトルクにて管理するようにしたものや、同特許文献１（４）に見られるような、環状パッキン取付け金具に、その周回りに沿って切欠き部を設け、封鎖ネジによる締め付け力が強すぎた場合に、取付け金具が弾性変形し、環状パッキンが過剰に潰れてしまうのを防止可能としてなるものなどが散見される。
【０００５】
しかし、前者特許文献１（１）ないし１（３）に示されているような灯具用筐体は、何れも筐体本体に透明カバーを装着するときに、全ての封鎖ネジの締付けトルクを正確に管理しなければ、環状パッキンの圧縮不足や過剰な圧縮、圧縮ムラなどを生じ、水、塵埃などの浸入や、環状パッキンの早期劣化などを惹起してしまう虞があり、また、後者の特許文献１（４）に代表するものなどは、環状パッキンに対応する切欠きを環状に設けた取付け金具を、灯具用筐体の本体開口全周に亘って設けなければならず、取付け金具の大型化・重量増加、および製造コストの高騰を招く虞があるという欠点があった。                                                
【特許文献１】（１）特開平１０−５９０５９号公報    （２）特開２０１０−２１８９９４号公報    （３）実開平５−５８４７９号公報    （４）特開平１１−１６２２１７号公報
【発明の概要】
【発明が解決しようとする課題】
【０００６】
（問題意識）
上述したとおり、従前までに提案のある各種灯具用筐体は、透明カバーを複数の封鎖ネジによって着脱自在に装着可能としているが、締付けトルクを正確に管理しなければ、環状パッキンの圧縮ムラや早期劣化を招き、水や塵埃などの浸入を招く虞があり、また、締付けトルクの管理を必要としないよう、脆弱部を設けた取付け金具を装着してなる灯具用筐体は、取付け金具の大型化や重量の増加を招き、経済的な生産が困難であるという欠点があり、取付け金具の大型化を回避して軽量化することができ、低廉に生産可能な上、透明カバーを固定する封鎖ネジの締付けトルク管理を不要とし、工場におけるメンテナンス作業の効率を高めることができる、新たな灯具筐体用部品を開発すべきとの考えに至った。
【０００７】
（発明の目的）
そこで、この発明は、閉鎖用金具封鎖ネジの締付けトルクの管理をせずに、均質かつ最適な圧力で環状パッキンを圧縮可能とする上、閉鎖用金具の大型化や重量の増加を回避して経済的に生産、効率的に利用可能なものとし、製造およびメンテナンス効率を確実に高めることができる新たなＬＥＤ用灯具筐体技術の開発はできないものかとの判断から、逸速くその開発、研究に着手し、長期に渡る試行錯誤と幾多の試作、実験とを繰り返してきた結果、今回、遂に新規な構造のＬＥＤ灯具筐体用閉鎖金具、およびそれを利用した新規な構造のＬＥＤ灯具筐体を実現化することに成功したものであり、以下では、図面に示すこの発明を代表する実施例と共に、その構成を詳述することとする。                                                
【課題を解決するための手段】
【０００８】
（発明の構成）
図面に示すこの発明を代表する実施例からも明確に理解されるように、この発明のＬＥＤ灯具用筐体は、基本的に次のような構成から成り立っている。
即ち、ＬＥＤモジュールを収納可能な容器形であって、開口縁に沿って環状パッキンを装着したＬＥＤ灯具筐体容器型本体の、該開口縁周回りに均衡状となる周壁複数箇所の何れか一箇所に固定可能とした取付け座から、取付け姿勢にて該容器型本体開口縁を超えて外がわに向け、封鎖ネジ用孔、対手ストッパ規制部および／またはストッパ凸片を有する連結腕を延伸してなる受け金具、鍔状外周縁が当該容器型本体開口縁に対応し、環状パッキンに当接・密閉可能形状としたＬＥＤ灯具筐体蓋型透明カバーの、当該容器型本体開口縁に組み合わせた場合に、当該受け金具取付け座各取付け位置に対応する開口縁近傍外周壁の何れか一箇所に固定可能とした取付け座から、取付け姿勢にて鍔状外周縁を超えて外がわに向け、ボルト装着孔、ストッパ凸片および／または対手ストッパ規制部を有する連結腕を延伸してなる掛け金具、および、該掛け金具ボルト装着孔と該受け金具封鎖ネジ用孔とを緊締・連結可能とする封鎖ネジを設けてなるものとした構成を要旨とするＬＥＤ灯具筐体用閉鎖金具である。
【０００９】
この基本的な構成からなるＬＥＤ灯具筐体用閉鎖金具は、その表現を変えて示すならば、ＬＥＤモジュールを収納可能な容器形であって、開口縁に沿って環状パッキンを装着したＬＥＤ灯具筐体容器型本体の、該開口縁周回りに均衡状となる周壁複数箇所の何れか一箇所に固定可能とした取付け座から、取付け姿勢にて該容器型本体開口縁を超えて外がわに向け、封鎖ネジ用孔、対手ストッパ規制部および／またはストッパ凸片を有する連結腕を延伸してなる受け金具、鍔状外周縁が当該容器型本体開口縁に対応し、環状パッキンに当接・密閉可能形状としたＬＥＤ灯具筐体蓋型透明カバーの、当該容器型本体開口縁に組み合わせた場合に、当該受け金具取付け座各取付け位置に対応する開口縁近傍外周壁の何れか一箇所に固定可能とした取付け座から、取付け姿勢にて鍔状外周縁を超えて外がわに向け、ボルト装着孔、ストッパ凸片および／または対手ストッパ規制部を有する連結腕を延伸してなる掛け金具、および、該掛け金具ボルト装着孔と該受け金具封鎖ネジ用孔とを緊締・連結可能とする封鎖ネジを設け、該受け金具対手ストッパ規制部が該掛け金具ストッパ凸片の閉鎖位置を規制可能とし、および／または、該掛け金具対手ストッパ規制部が該受け金具ストッパ凸片の閉鎖位置を規制可能として、環状パッキンに加わる閉鎖圧力を最適且つ一定に規制可能としてなるものとした構成からなるＬＥＤ灯具筐体用閉鎖金具となる。
【００１０】
より具体的には、ＬＥＤモジュールを収納・装着可能とした容器形であって、照明がわ開口縁に沿って設けたパッキン装着座に環状パッキンを装着し、該パッキン装着座近傍周側壁の開口縁周回りに均衡状配置となる複数箇所に、夫々２以上の取付け孔を穿設して複数の受け金具取付け部を設定したＬＥＤ灯具筐体容器型本体の、外周壁各受け金具取付け部の何れか一箇所に固定可能とするよう、各取付け孔に装着可能な２以上の植込みボルトを立設した取付け座から、容器型本体開口縁を超えて外がわに向け、２以上の雌ネジ孔、対手ストッパ規制部およびストッパ凸片を有する連結腕を延伸してなる受け金具を設けると共に、鍔状外周縁が容器型本体開口縁に対応し、環状パッキンに当接・密閉可能形状とし、容器型本体開口縁に組み合わせた場合に各受け金具取付け部に対応する開口縁近傍箇所に、夫々２以上の取付け孔を穿設して掛け金具取付け部を設定したＬＥＤ灯具筐体蓋型透明カバーの、外周壁各掛け金具取付け部の何れか一箇所に固定可能とするよう、各取付け孔に装着可能な２以上の植込みボルトを立設した取付け座から、鍔状外周縁を超えて外がわに向け、２以上のボルト装着孔、ストッパ凸片および対手ストッパ規制部を有する連結腕を延伸してなる掛け金具を設け、当該容器型本体の何れか一箇所の受け金具取付け部と該受け金具取付け座との間にシートパッキンを挟み、各植込みボルトを各取付け孔に装着し、ナットにて固定し、当該蓋型透明カバーの何れか一箇所の掛け金具取付け部と該掛け金具取付け座との間にシートパッキンを挟み、各植込みボルトを各取付け孔に装着し、ナットにて固定し、該掛け金具各ボルト装着孔に装着した各封鎖ネジを、それに対応させた該受け金具各雌ネジ孔に螺合し得るものとした構成からなるＬＥＤ灯具筐体用閉鎖金具となる。
【００１１】
（関連する発明）
上記したＬＥＤ灯具筐体用閉鎖金具に関連し、この発明には、それを利用したＬＥＤ灯具筐体も包含している。
即ち、ＬＥＤモジュールを収納可能な容器形であって、開口縁に沿って環状パッキンを装着した容器型本体と、鍔状外周縁が当該容器型本体開口縁に対応し、環状パッキンに当接・密閉可能形状とした蓋型透明カバーとからなり、該容器型本体開口縁周回りに均衡状となる周壁複数箇所の何れか一箇所に固定可能とした取付け座から、取付け姿勢にて該容器型本体開口縁を超えて外がわに向け、封鎖ネジ用孔、対手ストッパ規制部および／またはストッパ凸片を有する連結腕を延伸してなる受け金具を、該容器型本体外周壁の開口縁周回りに均衡状となる複数箇所夫々に固定すると共に、当該容器型本体開口縁に組み合わせた場合に、当該受け金具取付け座各取付け位置に対応する開口縁近傍外周壁の何れか一箇所に固定可能とした取付け座から、取付け姿勢にて鍔状外周縁を超えて外がわに向け、ボルト装着孔、ストッパ凸片および／または対手ストッパ規制部を有する連結腕を延伸してなる掛け金具を、該蓋型透明カバーの受け金具取付け座各取付け位置に対応する鍔状外周縁複数箇所夫々に固定した上、各掛け金具ボルト装着孔と、それらに対応する各受け金具封鎖ネジ用孔との間に夫々封鎖ネジを緊締・固定可能に組み合わせてなるものとした、この発明の基本をなす前記閉鎖金具を利用したＬＥＤ灯具筐体である。
【００１２】
このＬＥＤ灯具筐体を、より具体的なものとして示すと、ＬＥＤモジュールを収納・装着可能とした容器形であって、照明がわ開口縁に沿って設けたパッキン装着座に環状パッキンを装着し、該パッキン装着座近傍周側壁の開口縁周回りに均衡状配置となる複数箇所に、夫々２以上の取付け孔を穿設して複数の受け金具取付け部を設定した容器型本体と、鍔状外周縁が容器型本体開口縁に対応し、環状パッキンに当接・密閉可能形状とし、容器型本体開口縁に組み合わせた場合に各受け金具取付け部に対応する開口縁近傍箇所に、夫々２以上の取付け孔を穿設して掛け金具取付け部を設定した蓋型透明カバーとからなり、当該容器型本体外周壁の各受け金具取付け部には、夫々取付け孔に装着可能な２以上の植込みボルトを立設した取付け座から、容器型本体開口縁を超えて外がわに向け、封鎖ネジ用孔または２以上の雌ネジ孔、対手ストッパ規制部およびストッパ凸片を有する連結腕を延伸してなる受け金具を、シートパッキンを挟み、各受け金具取付け部取付け孔に各植込みボルトを装着し、２以上のナットにて固定する一方、当該蓋型透明カバーの各掛け金具取付け部には、夫々取付け孔に装着可能な２以上の植込みボルトを立設した取付け座から、鍔状外周縁を超えて外がわに向け、２以上のボルト装着孔、ストッパ凸片および対手ストッパ規制部を有する連結腕を延伸してなる掛け金具を、シートパッキンを挟み、各掛け金具取付け部取付け孔に各植込みボルトを装着し、２以上のナットにて固定した上、当該容器型本体に蓋型透明カバーを閉鎖状に組合せると共に、各掛け金具ボルト装着孔から装着した２以上の封鎖ネジを、各受け金具雌ネジ孔に螺合し、双方のストッパ凸片が対手ストッパ規制部に当接するまで締め付け、密閉状に閉鎖可能なものとしてなる、この発明の基本をなす前記閉鎖金具を利用したＬＥＤ灯具筐体となる。                                                          
【発明の効果】
【００１３】
上記したとおりの固有の特徴ある構成から、この発明のＬＥＤ灯具筐体用閉鎖金具によれば、従前までのものとは異なり、ＬＥＤ灯具筐体を工場生産にて組み立て製造する場合は勿論のこと、ＬＥＤ灯具筐体を長期間使用した後に設置場所から回収し、工場でＬＥＤモジュールなどのメンテナンスを行う場合などにも、各封鎖ネジの締付けトルクの管理を必要とせず、環状パッキンの全周を均質かつ最適な圧力によって圧縮可能とし、過剰な圧縮や圧縮不足、圧縮ムラなどを解消してＬＥＤ灯具筐体内への水や塵埃などの浸入を確実に防止できるようになると共に、ＬＥＤ灯具筐体周回りの均衡状となる複数箇所だけには、受け金具、掛け金具および封鎖ネジからなる閉鎖金具を設け、ＬＥＤ灯具筐体の大型化や重量増加を防止して、一段と経済的に生産し、効率的に利用可能なものとし、製造およびメンテナンス効率を確実に高め、生産およびメンテナンスコストを大幅削減可能とすることができるという秀れた効果を発揮するものとなる。
【００１４】
受け金具に対手ストッパ規制部およびストッパ凸片を設け、掛け金具にストッパ凸片および対手ストッパ規制部を設けるようにしたものは、双方の対手ストッパ規制部が互いのストッパ凸片を同時に規制するものとなり、一段と確実に位置規制可能とすることができ、しかも受け金具を２以上の植込みボルトによって容器型本体に固定し、掛け金具を２以上の植込みボルトにて蓋型透明カバーに固定するようにしたものは、より正確な位置に確り固定することができるようになり、受け金具に対し、封鎖ネジにて掛け金具を緊締・固定する強度を一層高め、格段に信頼性に秀れた特徴を有するものとすることができる。
【００１５】
受け金具が、その外がわ最先端にストッパ凸片を立設し、取付け姿勢にて該ストッパ凸片から順次容器型本体寄りとなるよう対手ストッパ規制部および封鎖ネジ用封鎖ネジ用孔または雌ネジ孔を配する一方、掛け金具が、取付け姿勢にてその連結腕中途適所に、封鎖ネジ用ボルト装着孔を穿設し、同連結腕外端がわの受け金具ストッパ凸片先端に対応する中途部に段差状対手ストッパ規制部を設けた上、該段差状対手ストッパ規制部よりも先端に、受け金具対手ストッパ規制部に対応するストッパ凸片を設けるようにしたものは、封鎖ネジを挟み、内がわに環状パッキンを配し、同封鎖ネジの外がわに各ストッパ凸片および各対手ストッパ規制部を配してなり、受け金具の連結腕と掛け金具の連結腕とが互いに平行姿勢を維持したまま緊締・固定できることとなって、環状パッキンの圧縮力を一段と安定的に維持できる効果が得られる。
【００１６】
また、受け金具および各掛け金具が、双方とも金属板をプレス加工してなり、受け金具の取付け座またはその植込みボルト近傍から封鎖ネジ用孔または雌ネジ孔近傍に掛けて連続する１本または複数本の補強用凸条を一体成型し、掛け金具の取付け座またはその植込みボルト近傍から対手ストッパ規制部近傍に掛けて連続する１本または複数本の補強用凸条を一体成型してなるようにしたものは、さらに、低コスト化して効率的に生産し、高強度を達成することができ、封鎖ネジによる緊締・固定によって、より秀れた耐久強度を達成できるものとなる。
【００１７】
そして、この発明の閉鎖金具を利用してなるＬＥＤ灯具筐体によれば、従前まではヒンジ・ラッチを装着することによって安定した品質を得るようにしていた蛍光管用の灯具筐体は、そのまま利用可能としており、灯具筐体の新設計に要するコストを削減することができ、従来品のヒンジ・ラッチと同箇所に置き換えて、この発明の閉鎖金具を組み込むだけで、従来品と同等に安定した防水・防塵機能を達成可能とすることができるようにした上、ヒンジ・ラッチを採用する場合に比較して格段に低廉にて生産することができ、しかも工場に回収したＬＥＤ灯具筐体を開閉する場合には、工場の工具を利用して効率的に開閉、メンテナンスすることができ、前述の如く各封鎖ネジのトルク管理をしないでも、蓋型透明カバーを均等に緊締・固定して環状パッキンに最適な圧力が加わるよう組み立て可能となり、防水・防塵機能の維持だけでなく、環状パッキンの長寿命化も達成可能なＬＥＤ灯具筐体を提供することができるという秀れた効果を奏するものとなる。
【００１８】
加えて、この発明の閉鎖金具を利用したＬＥＤ灯具筐体は、受け金具取付け座と容器型本体との間、および、掛け金具取付け座と蓋型透明カバーとの間の夫々にシートパッキンを挟み、夫々２本以上の植込みボルトおよび各ナットにて、各受け金具を容器型本体に、また、各掛け金具を蓋型透明カバーに夫々固定してなるものは、各植込みボルトが組み立て作業性を高め、一段と効率良く分解、組み立て、および部品管理できるものとし、シートパッキンが、防水性および防塵性を一層高めて、格段に高い信頼性を達成できる利点が得られる。                                                                        
【発明を実施するための最良の形態】
【００１９】
上記したとおりの構成からなるこの発明の実施に際し、その最良もしくは望ましい形態について説明を加えることにする。
受け金具は、容器型本体の開口縁近傍と、同容器型本体開口に施蓋状に組み合わせた透明カバー外周縁近傍に取り付けた掛け金具とを閉鎖状に固定可能とする機能を担い、ＬＥＤ灯具筐体容器型本体において、その開口縁周回りに均衡状となる周壁複数箇所の何れか一箇所に固定可能とした取付け座から、取付け姿勢で、該容器型本体開口縁を超えて外がわに向け、封鎖ネジ用孔、対手ストッパ規制部および／またはストッパ凸片を有する連結腕を延伸してなるものとしなければならず、ＬＥＤ灯具筐体容器型本体の、外周壁各受け金具取付け部の何れか一箇所に固定可能とするよう、各取付け孔に装着可能な２以上の植込みボルトを立設した取付け座から、同容器型本体開口縁を超えて外がわに向け、２以上の雌ネジ孔、対手ストッパ規制部およびストッパ凸片を有する連結腕を延伸してなるものとするのが望ましく、後述する実施例にも示すように、取付け座から連結腕の部分を耐食性に秀れたステンレス鋼板のプレス加工品とし、取付け座適所にステンレス製ボルトを植え込み、熔接にて一体化してなるものとすることができ、また、取付け座またはその植込みボルト近傍から雌ネジ孔近傍に掛けて連続する１本または複数本の補強用凸条を一体成型してなるものとすることができ、補強用凸条は、補強リブを熔接などによって一体化したものに置き換え可能である。
【００２０】
受け金具連結腕の各封鎖ネジ用孔は、掛け金具連結腕の装着孔から装着した封鎖ネジの先端がわを締付け・固定状に連結可能とする機能を担い、容器型本体に蓋型透明カバーを組み合せた状態にて掛け金具連結腕の各装着孔に夫々同心上配置となり、各封鎖ネジを容易に組み合せ可能なものとすべきであり、バカ孔を設けて別体のナットを組み込み可能としたり、バカ孔を設けてナットを熔接や嵌合などにて一体化したものとしたり、貫通孔それ自体に雌ネジを刻設してなるものとしたりすることが可能であり、該封鎖ネジ用孔を雌ネジ孔とすることができ、受け金具の対手ストッパ規制部は、封鎖ネジ締付けに際し、掛け金具ストッパ凸片の近接を環状パッキンの最適な圧縮位置に規制可能とするようにした機能を担い、掛け金具に対手ストッパ規制部を有する場合には、それによってストッパ規制作用を得ることができるから、必ずしも受け金具に対手ストッパ規制部を設ける必要はないが、ストッパ規制作用をより確実に得るには、受け金具に対手ストッパ規制部およびストッパ凸片を設けたものとするのが良い。
【００２１】
受け金具のストッパ凸片は、封鎖ネジ締付けに際し、掛け金具対手ストッパ規制部に当接し、環状パッキンの最適な圧縮位置に規制可能とするようにした機能を担っており、掛け金具にストッパ凸片を有する場合には、それによってストッパ規制作用を得ることができるから、必ずしも受け金具にストッパ凸片を設ける必要はないが、ストッパ規制作用をより確実に得るには、受け金具にストッパ凸片および対手ストッパ規制部を設けたものとするのが良い。
【００２２】
掛け金具は、透明カバー外周縁近傍と、同透明カバーを施蓋状に組み合わせた容器型本体の開口縁近傍に取り付けた受け金具とを閉鎖状に固定可能とする機能を担っていて、ＬＥＤ灯具筐体蓋型透明カバーの、容器型本体開口縁に組み合わせた場合に、受け金具取付け座各取付け位置に対応する開口縁近傍外周壁の何れか一箇所に固定可能とした取付け座から、取付け姿勢にて鍔状外周縁を超えて外がわに向け、ボルト装着孔、ストッパ凸片および／または対手ストッパ規制部を有する連結腕を延伸してなるものとしなければならず、取付け座には、蓋型透明カバーの各掛け金具取付け部の取付け孔に装着可能な２以上の植込みボルトを立設したものとするのが望ましく、後述する実施例に示すように、取付け座から連結腕の部分を耐食性に秀れたステンレス鋼板のプレス加工品とし、取付け座適所にステンレス製ボルトを植え込み、熔接にて一体化してなるものとすることができ、そして、取付け座またはその植込みボルト近傍から対手ストッパ規制部近傍に掛けて連続する１本または複数本の補強用凸条を一体成型してなるものとすることができ、補強用凸条は、補強リブを熔接などによって一体化したものに置き換え可能である。
【００２３】
掛け金具連結腕のボルト装着孔は、受け金具連結腕の雌ネジ孔に螺合する封鎖ネジを装着可能とする機能を分担するものであり、蓋型透明カバーを容器型本体に組み合せた状態で受け金具連結腕の封鎖ネジ用孔または雌ネジ孔に同心上配置となり、封鎖ネジを容易に装着可能なものとすべきであり、掛け金具対手ストッパ規制部は、封鎖ネジ締付けに際し、受け金具ストッパ凸片の近接位置を、環状パッキンの最適圧縮位置に規制可能とする機能を担い、受け金具に対手ストッパ規制部を有する場合には、それによってストッパ規制作用を得ることができるから、必ずしも掛け金具に対手ストッパ規制部を設ける必要はないが、ストッパ規制作用をより確実に得るには、掛け金具にストッパ凸片および対手ストッパ規制部を設けたものとするのが良い。
【００２４】
掛け金具のストッパ凸片は、封鎖ネジ締付けに際し、受け金具対手ストッパ規制部に当接し、環状パッキンの最適な圧縮位置に規制可能とするようにした機能を担うものであり、受け金具にストッパ凸片を有する場合には、それによってストッパ規制作用を得ることができるから、必ずしもストッパ凸片を設ける必要はないが、ストッパ規制作用をより確実に得るには、掛け金具にストッパ凸片および対手ストッパ規制部を設けたものとすべきである。
【００２５】
封鎖ネジは、受け金具に掛け金具を連結し、容器型本体に施蓋状に組み合わせた蓋型透明カバーを緊締・固定する機能を分担し、掛け金具ボルト装着孔から受け金具封鎖ネジ用孔または雌ネジ孔に達し、充分な強度をもって両者を連結可能なものとし、そのネジ部は、掛け金具ボルト装着孔を通過可能であると共に、受け金具封鎖ネジ用孔に向き合わせたナット、または雌ネジ孔に螺合する呼び径に設定したものとしなければならず、ボルト装着孔を通過不能な直径とした頭部を設けたものとすべきであり、耐食性に秀れたステンレス鋼製とするのが望ましく、マイナスやプラスドライバーなどの通常工具では容易に取り外せない、例えば星形（ヘックスローブ）溝など、いたずら防止用の特殊な頭部を有するものとすることができる。
【００２６】
前記した受け金具の対手ストッパ規制部、ストッパ凸片、および掛け金具のストッパ凸片、対手ストッパ規制部の各連結腕から夫々の当接位置までの各長さ寸法を、同受け金具対手ストッパ規制部および掛け金具ストッパ凸片が当接し、および／または、同受け金具ストッパ凸片および掛け金具対手ストッパ規制部が当接した場合に、容器型本体パッキン装着座と蓋型透明カバー鍔状外周縁との間に介在する環状パッキンが、最適且つ一定の圧縮状態となる寸法関係とするよう設定してなるものとすべきである。
【００２７】
ＬＥＤ灯具筐体の容器型本体は、内部適所にＬＥＤモジュールを収納可能とするもので、ＬＥＤモジュールからの照明光を照射可能、且つ蓋型透明カバーを装着可能な開口を確保し、複数の受け金具を適所に固定可能とする機能を担っており、ＬＥＤモジュールを収納可能な容器形であって、開口縁に沿って環状パッキンを装着したものとしなければならず、ＬＥＤモジュールを収納・装着可能とした容器形であって、照明がわ開口縁に沿って設けたパッキン装着座に環状パッキンを装着し、該パッキン装着座近傍周側壁の開口縁周回りに均衡状配置となる複数箇所夫々に受け金具取付け部を設定したものとすべきであり、ＬＥＤモジュールやそれに付属する各種電子部品などが発する熱を外部に効率的に放熱できるよう、アルミニウム合金製やステンレス製など熱伝導率の高い金属素材製のものとするのが望ましく、後述する実施例に示すように、受け金具取付け部が、２以上の取付け孔を穿設してなるものとすることができ、環状パッキンをシリコンゴム系の防水スポンジパッキンとし、受け金具取付け座との間にシリコンゴム系のシートパッキンを挟み、防水・防塵性を確保したものとするのが良い。
【００２８】
容器型本体開口縁のパッキン装着座は、容器型本体開口縁に沿って環状パッキンを密着状に装着可能とし、蓋型透明カバー鍔状外周縁との間に環状パッキンを圧縮状に挟み込み可能とし、容器型本体を密閉可能とするようにした機能を分担し、本体開口縁と同じ方向に開口する溝型のものとすることができる外、後述する実施例にも示しているように、開口縁の内がわに一段下がる環状段差形のものとすることができる。
【００２９】
ＬＥＤ灯具筐体の蓋型透明カバーは、容器型本体開口を密閉状に閉鎖可能とし、容器型本体内に収容したＬＥＤモジュールが発する光を外部に透過可能とする機能を分担し、鍔状外周縁が当該容器型本体開口縁に対応し、環状パッキンに当接・密閉可能な形状としなければならず、鍔状外周縁が容器型本体開口縁に対応し、環状パッキンに当接・密閉可能形状とし、容器型本体開口縁に組み合わせた場合に、各受け金具取付け部に対応する開口縁近傍箇所夫々に掛け金具取付け部を設定したものとすべきであり、高い光透過率を確保し、防水・防塵可能とし、透過光や熱によって劣化しにくい素材製とし、光透過性に秀れた透明合成樹脂製のものとすることができる外、後述する実施例に示すように、掛け金具取付け部が２以上の取付け孔を穿設し、掛け金具取付け座との間にシートパッキンを挟み、防水・防塵性を確保したものとすることができ、蓋型透明カバーをガラス製カバーとすると好都合のものとなる。
以下では、図面に示すこの発明を代表する実施例と共に、その構造について詳述することとする。                                                                                                            
【図面の簡単な説明】
【００３０】
図面は、この発明のＬＥＤ灯具筐体用閉鎖金具、およびそれを利用したＬＥＤ灯具筐体の技術的思想を具現化した代表的な幾つかの実施例を取り上げてある。
【図１】受け金具を示す斜視図である。
【図２】受け金具を示す側面図である。
【図３】受け金具を示す背面図である。
【図４】受け金具を示す下面図である。
【図５】掛け金具を示す斜視図である。
【図６】掛け金具を示す側面図である。
【図７】掛け金具を示す背面図である。
【図８】掛け金具を示す下面図である。
【図９】ＬＥＤ灯具用筐体の要部を断面化して示す側面図である。
【図１０】ＬＥＤ灯具用筐体の要部を分解、断面化して示す側面図である。
【図１１】ＬＥＤ灯具用筐体を示す三面図である。
【実施例１】
【００３１】
図１ないし図１１に示してある事例は、環状パッキン８を装着したＬＥＤ灯具筐体６容器型本体７に固定可能とした取付け座２０から封鎖ネジ用孔２４、対手ストッパ規制部２５および／またはストッパ凸片２６を有する連結腕２３を延伸した受け金具２を設けると共に、鍔状外周縁９０が環状パッキン８に当接・密閉可能な形状としたＬＥＤ灯具筐体６蓋型透明カバー９の外周壁９３に固定可能とした取付け座４０からボルト装着孔４４、ストッパ凸片４５および／または対手ストッパ規制部４６を有する連結腕４３を延伸してなる掛け金具４を設けた上、該掛け金具４ボルト装着孔４４と該受け金具２封鎖ネジ用孔２４とを緊締・連結可能とする封鎖ネジ５を設けてなるものとした、この発明のＬＥＤ灯具筐体用閉鎖金具における代表的な一実施例を示すものである。
【００３２】
それら各図からも明確に把握できるとおり、この発明のＬＥＤ灯具筐体６用閉鎖金具１は、ＬＥＤモジュールＭを収納・装着可能とした容器形であって、照明がわ開口縁７２内がわに沿って段差状に設けたパッキン装着座７３に環状パッキン８であるスポンジパッキン８を装着し、該パッキン装着座７３近傍周側壁７０の開口縁７２周回りに均衡状配置となる合計４箇所に、夫々２個の取付け孔７１，７１を穿設して合計４箇所の受け金具２取付け部７４，７４，……を設定したＬＥＤ灯具筐体６容器型本体７の、外周壁７０各受け金具２取付け部７４，７４，……の何れか一箇所に固定可能とするように、各取付け孔７，７１に装着可能な２本の植込みボルト２１，２１を立設した取付け座２０から、容器型本体７開口縁７２を超えて外がわに向け、２個の雌ネジ孔２４，２４、対手ストッパ規制部２５およびストッパ凸片２６を有する連結腕２３を延伸してなる受け金具２を設けたものである。
【００３３】
そして、鍔状外周縁９０が容器型本体７開口縁７２に対応し、スポンジパッキン（環状パッキン）８に当接・密閉可能形状とし、容器型本体７開口縁７２に組み合わせた場合に各受け金具２取付け部７４，７４，……に対応する開口縁７２近傍箇所に、夫々２個の取付け孔９１，９１を穿設して掛け金具４取付け部９２，９２，……を設定したＬＥＤ灯具筐体６蓋型透明カバー９の、外周壁９３各掛け金具４取付け部９２，９２，……の何れか一箇所に固定可能とするよう、各取付け孔９１，９１に装着可能な２本の植込みボルト４１，４１を立設した取付け座４０から、鍔状外周縁９０を超えて外がわに向け、２個のボルト装着孔４４，４４、ストッパ凸片４５および対手ストッパ規制部４６を有する連結腕４３を延伸してなる掛け金具４を設け、該掛け金具４各ボルト装着孔４４，４４に夫々装着した２本の封鎖ネジ５，５を、それに対応させた受け金具２の各雌ネジ孔２４，２４に螺合し得るものとしてある。
【００３４】
そして、各受け金具２が、その連結腕２３を取付け姿勢にて容器型本体７開口縁７２に平行状外向きに延伸し、その外がわ最先端を、蓋型透明カバー９掛け金具４がわに向けて折曲し、ストッパ凸片２６を立設すると共に、該ストッパ凸片２６から順次容器型本体７寄りとなるよう対手ストッパ規制部２５および封鎖ネジ５，５用雌ネジ孔２４，２４を配する一方、各掛け金具４が、取付け姿勢にてその連結腕４３の蓋型透明カバー９外がわ且つ受け金具２雌ネジ孔２４，２４に対応する中途適所に、封鎖ネジ５，５用ボルト装着孔４４，４４を穿設し、同連結腕４３外端がわの受け金具２ストッパ凸片２６先端に対応する中途部に段差状対手ストッパ規制部４６を設けるようにした上、該段差状対手ストッパ規制部４６よりも先端に、受け金具２対手ストッパ規制部２５に対応するストッパ凸片４５を設け、同掛け金具４ストッパ凸片４５の外がわ壁面が、受け金具２ストッパ凸片２６の容器型本体７対峙壁面に隣接するよう組合せ可能なものとしてなる。
【００３５】
図９および図１０に示しているように、各受け金具２の対手ストッパ規制部２５、ストッパ凸片２６、および、掛け金具４のストッパ凸片４５、対手ストッパ規制部４６の各連結腕２３，４３から夫々の当接位置までの各長さ寸法を、同受け金具２対手ストッパ規制部２５および掛け金具４ストッパ凸片４５が当接し、および、同受け金具２ストッパ凸片２６および掛け金具４対手ストッパ規制部４６が当接した場合に、容器型本体７パッキン装着座７３と蓋型透明カバー９鍔状外周縁９０との間に介在するスポンジパッキン（環状パッキン）８が、最適且つ一定の圧縮状体となる寸法関係とするよう設定してなるものとする。
【００３６】
さらに、各受け金具２および各掛け金具４は、共にステンレス鋼板をプレス加工してなり、各受け金具２は、取付け座２０またはその植込みボルト２１，２１間中央近傍から雌ネジ孔２４，２４間中央近傍に掛けて連続する１本の補強用凸条２７を一体成型し、また、各掛け金具４は、取付け座４０またはその植込みボルト４１，４１間中央近傍から対手ストッパ規制部４６近傍に掛けて連続する１本の補強用凸条４７を一体成型してなるものとしてある。
【００３７】
（実施例１の作用・効果）
以上のとおりの構成からなるこの発明のＬＥＤ灯具筐体６用閉鎖金具１は、図９ないし図１１に示してあるように、ＬＥＤ灯具筐体６に組み込みができるようなものとしてあり、ＬＥＤモジュールＭを収納・装着可能とした容器形であって、照明がわ開口縁７２内がわに沿って段差状に設けたパッキン装着座７３にシリコンゴム系スポンジパッキン（環状パッキン）８を装着し、該パッキン装着座７３近傍周側壁７０の開口縁７２周回りに均衡状配置となる合計４箇所に、夫々２個の取付け孔７１，７１を穿設して合計４箇所の受け金具２取付け部７４，７４，……を設定した容器型本体７と、鍔状外周縁９０が容器型本体７開口縁７２に対応し、スポンジパッキン（環状パッキン）８に当接・密閉可能形状とし、容器型本体７開口縁７２に組み合わせた場合に各受け金具２取付け部７４，７４，……に対応する開口縁７２近傍箇所に、夫々２個の取付け孔９１，９１を穿設して合計４箇所の掛け金具４取付け部９２，９２，……を設定した蓋型透明カバー９とからなるＬＥＤ灯具筐体６に対し、以下のようにして一体化可能である。
【００３８】
当該容器型本体７外周壁７０の各受け金具２取付け部７４，７４，……には、夫々受け金具２取付け座２０に対応する外縁形状とし、取付け座２０植込みボルト２１，２１に対応する貫通孔３０，３０が穿設されたシリコンゴム系シートパッキン３、３……を挟み込むよう介在させて、各受け金具２取付け座２０，２０，……を装着し、各植込みボルト２１，２１，……にワッシャーおよびナット２２，２２，……を螺合させて固定する一方、当該蓋型透明カバー９の各掛け金具４取付け部９２，９２，……には、夫々掛け金具４取付け座４０に対応する外縁形状とし、取付け座４０植込みボルト４１，４１に対応する貫通孔３０，３０が穿設されたシリコンゴム系シートパッキン３、３……を挟み込むよう介在させて各掛け金具４取付け座４０を装着し、各植込みボルト４１，４１にワッシャーおよびナット４２，４２，……を螺合させて固定するようにした上、当該容器型本体７に蓋型透明カバー９を閉鎖状に組合せると共に、各掛け金具４，４，……ボルト装着孔４４，４４，……に、上方から各２本ずつ封鎖ネジ５，５，……を装着し、各先端ネジ部を各受け金具２，２，……雌ネジ孔２４，２４，……に螺合し、各ストッパ凸片２６，２６，……，４５，４５，……が、対応する各対手ストッパ規制部４６，４６，……，２５，２５，……に当接するまで締め付け、密閉状に閉鎖可能なものとなる。
【００３９】
図９に示してあるとおり、各封鎖ネジ５，５，……の締付けにより、各受け金具２，２，……および各掛け金具４，４，……の各々のストッパ凸片２６，２６，……，４５，４５，……が、対応する各対手ストッパ規制部４６，４６，……，２５，２５，……に当接すると、それ以上各封鎖ネジ５，５，……を締め付けることが出来なくなり、過剰な締付けを阻止するようにしてあり、しかも容器型本体７開口縁７２全周に亘り、蓋型透明カバー９鍔状外周縁９０を同一距離に保持し、スポンジパッキン（環状パッキン）８の圧縮を最適且つ一定に閉鎖可能となる。
【００４０】
（結  び）
叙述の如く、この発明のＬＥＤ灯具筐体用閉鎖金具、およびそれを利用したＬＥＤ灯具筐体は、その新規な構成によって所期の目的を遍く達成可能とするものであり、しかも製造も容易で、従前からのヒンジおよびラッチを有する金具を利用するものに比較して格段に低コストにて生産可能となり、しかも耐久強度を高めて耐久寿命を大幅に延命化できるものとなる上、軽量且つ低廉化して遥かに経済的なものとすることができ、工場生産およびメンテナンス作業の効率を大幅に改善し得るものとなることから、従前までは、設置現場から回収し、工場にてメンテナンス作業を行うＬＥＤ灯具筐体にあっても、高価なヒンジ・ラッチを組み込まざるを得ず、無駄なコストを生じさせていたが、こうした１つ１つの部品を見直すことにより、国道や市町村道のような各種一般道路の照明管理コストを削減したいと希望する公共団体は固よりのこと、自動車専用道路や高速道路などのトンネルを管理する企業や道路管理業界にあっても、高く評価され、広範に渡って利用、普及していくものになると予想される。                                                                                                
【符号の説明】
【００４１】
１      閉鎖金具
２      受け金具
２０    同  取付け座
２１    同  植込みボルト
２２    同  ナット
２３    同  連結腕
２４    同  雌ネジ孔（封鎖ネジ用孔）
２５    同  対手ストッパ規制部
２６    同  ストッパ凸片
２７    同  補強用凸条、
３      シートパッキン
３０    同  貫通孔
４      掛け金具
４０    同  取付け座
４１    同  植込みボルト
４２    同  ナット
４３    同  連結腕
４４    同  ボルト装着孔
４５    同  ストッパ凸片
４６    同  対手ストッパ規制部
４７    同  補強用凸条
５      封鎖ネジ
６      ＬＥＤ灯具筐体
７      容器型本体
７０    同  周側壁
７１    同  取付け孔
７２    同  開口縁
７３    同  パッキン装着座
７４    同  受け金具２取付け部
８      スポンジパッキン（環状パッキン）
９      蓋型透明カバー
９０    同  鍔状外周縁
９１    同  取付け孔
９２    同  掛け金具４取付け部
９３    同  外周壁
Ｍ      ＬＥＤモジュール                                                                                              
【図１】
0005607707.tif 000002
【図２】
0005607707.tif 000003
【図３】
0005607707.tif 000004
【図４】
0005607707.tif 000005
【図５】
0005607707.tif 000006
【図６】
0005607707.tif 000007
【図７】
0005607707.tif 000008
【図８】
0005607707.tif 000009
【図９】
0005607707.tif 000010
【図１０】
0005607707.tif 000011
【図１１】
0005607707.tif 000012